(57)【要約】      （修正有）【課題】衛生的で低コスト、かつ低騒音の短冊状の被搬送物を搬送する無軸スクリューコンベヤを提供する。【解決手段】短冊状の紙片・段ボール片を搬送するためのコンベアであって、スパイラル形状の所定の長さを有する無軸スクリュー２と、無軸スクリュー２を回転駆動するための減速機付電動機１と、無軸スクリュー２の下端が接し、無軸スクリュー２の下側の外周を覆う半円筒形状のライナー６と、ライナー６を保持するためのトラフ７と、を有することを特徴とする無軸スクリューコンベア１０である。【選択図】図１
0003206289.tif 000002
【実用新案登録請求の範囲】
【請求項１】
短冊状の被搬送物を搬送するためのコンベアであって、
スパイラル形状の所定の長さを有する無軸スクリューと、
前記無軸スクリューを回転駆動するための駆動手段と、
前記無軸スクリューの下端が接し、前記無軸スクリューの下側の外周を覆う半円筒形状のライナーと、
前記ライナーを保持するための保持手段と、
を有することを特徴とする無軸スクリューコンベア。
【請求項２】
前記ライナーの半円筒の両端部に、前記短冊状の被搬送物をガイドするためのガイド板を有することを特徴とする請求項１記載の無軸スクリューコンベア。
【請求項３】
前記ライナーの材質が樹脂であることを特徴とする請求項１または２に記載の無軸スクリューコンベア。
【考案の詳細な説明】
【技術分野】
【０００１】
本考案は、紙片・段ボール片等の短冊状の被搬送物を搬送する無軸スクリューコンベアに関する。
【背景技術】
【０００２】
現在、紙器・段ボール箱は広く社会で使用されている。そして、これら紙器・段ボール箱を工場で製作する場合、大量の短冊状の紙片や段ボール片が発生する。このように発生した紙片・段ボール片は、資源の有効活用の観点から再利用されているのが現状である。その際、発生した紙片・段ボール片を切断場所から集積場所に搬送する必要があるが、現在エアーダクトを用いて搬送している。即ち、エアーダクトの一端に送風用ブロアーを設置し、他方の端部に吸入用のブロアーを設置することで、エアーダクト内の短冊状の紙片・段ボール片を送風圧で搬送している。
【０００３】
また、例えば特許文献１には、紙葉類を搬送するために搬送管内に発生させた空気流を、搬送管の途中で効率的に増強可能な紙葉類搬送装置及び補助ブロアーに関する技術が開示されている。
【先行技術文献】
【特許文献】
【０００４】
【特許文献１】特開２０１４−１３３６２３号公報
【考案の概要】
【考案が解決しようとする課題】
【０００５】
しかし、上記した送風用ブロアー、吸入用ブロアー及びエアーダクトを用いて短冊状の紙片・段ボール片を搬送する搬送装置では、塵埃・紙粉が舞い非衛生的である。また、送風用ブロアー及び吸入用ブロアーは、多くの電力を消費し搬送装置の運用コストがかかるとともに、広い設置スペースが必要となるという課題もある。更に、エアーダクトの送風音が騒音になるという課題がある。
【０００６】
本考案は、上記課題を解決するためになされたものであり、衛生的で低コスト、かつ低騒音の短冊状の被搬送物を搬送する無軸スクリューコンベヤを提供することを目的とする。
【課題を解決するための手段】
【０００７】
本考案は、上記課題を解決するため以下の構成を有する。
【０００８】
（１）短冊状の被搬送物を搬送するためのコンベアであって、
スパイラル形状の所定の長さを有する無軸スクリューと、
前記無軸スクリューを回転駆動するための駆動手段と、
前記無軸スクリューの下端が接し、前記無軸スクリューの下側の外周を覆う半円筒形状のライナーと、
前記ライナーを保持するための保持手段と、
を有することを特徴とする無軸スクリューコンベア。
【０００９】
（２）前記ライナーの半円筒の両端部に、前記短冊状の被搬送物をガイドするためのガイド板を有することを特徴とする前記（１）記載の無軸スクリューコンベア。
【００１０】
（３）前記ライナーの材質が樹脂であることを特徴とする前記（１）または（２）に記載の無軸スクリューコンベア。
【考案の効果】
【００１１】
本考案によれば、衛生的で低コスト、かつ低騒音の短冊状の被搬送物を搬送する無軸スクリューコンベヤを提供することができる。
【図面の簡単な説明】
【００１２】
【図１】本考案の無軸スクリューコンベアの構成を示す図
【図２】本考案の無軸スクリューコンベアの設置状態を示す図
【図３】本考案の無軸スクリューコンベアと軸有スクリューコンベアを比較して説明するための図
【図４】本考案の無軸スクリューコンベアによる段ボール片の搬送状態を示す図
【考案を実施するための形態】
【００１３】
本考案を実施するための形態を、図面を参照しつつ以下に説明する。
【実施例】
【００１４】
［無軸スクリューコンベアの構成］
本考案の短冊状の被搬送物を搬送する無軸スクリューコンベアの構成を図１に示す。無軸スクリューコンベア１０は、駆動シャフト３を介して無軸スクリュー２を減速機付き電動機１（駆動手段）により回転させている。駆動シャフト３は、減速機台４で軸シール５によりシールされている。そして、無軸スクリュー２の下部端は、樹脂製のライナー６に接触して設置されている。また、ライナー６は、ステンレス等の金属製のケーシングであるトラフ７（保持手段）によって下側が支持されている。なお、ライナー６とトラフ７は略半円筒の形状を有している。ライナー６の半円筒の両端部に、短冊状の被搬送物をガイドするためのガイド板２０が取り付けられていてもよい（図４参照）。
【００１５】
図２は、第１の無軸スクリューコンベア１０ａと第２の無軸スクリューコンベア１０ｂを略直交するように設置した状態を示している。図２（ａ）は平面図であり、図２（ｂ）は図２（ａ）に示したＡ−Ａでの断面図である。
【００１６】
図２（ｂ）に示したように、無軸スクリューコンベア１０のトラフ７は所定の位置で、支持脚９によって支持されており、またライナー６はトラフ７に固定具８によって固定されている。
【００１７】
本考案の無軸スクリューコンベア１０は、軸がなく羽根のみで構成されており、無軸スクリュー２とライナー６の間の隙間が少ないため、搬送効率が高い。また、縦、横、斜めのあらゆる方向に自由自在に設置可能である。更に、無軸スクリュー２は強固なスプリング形状であるため、数十メートルの搬送路を実現できるとともに、構造が簡単であるため、メンテナンスが容易であるという利点も有している。
【００１８】
［軸有スクリューと無軸スクリューの比較］
図３（ａ１）に軸有スクリュー１１の側面図を、図３（ａ２）にその断面図を示す。図示したように、軸有スクリュー１１の場合、搬送距離が長くなると中間軸受１３が必要となる。そのため、搬送物がこの中間軸受１３に絡まり、移送できなくなる場合がある。また、図３（ａ２）に示したような搬送空間Ｈ１となり、軸高さを超える大きさの搬送物を移送することができない。更に、搬送物によっては、軸１１ａを曲げたり、中間軸受１３の損傷に至る場合がある。そして、図３（ａ１）に示したように隙間ａがあるため、この隙間ａに短冊状の被搬送物が詰まる可能性もある。なお、軸有スクリューの上側にはカバー１４が設置されている。
【００１９】
次に、図３（ｂ１）に本考案の無軸スクリュー２の側面図を、図３（ｂ２）にその断面図を示す。図３（ｂ２）に示したように、無軸スクリュー２は軸がないので搬送空間Ｈ２は非常に広くなる。無軸スクリュー２の上部の左右には側板１５が設置され、上側にはカバー１４が設置されている。また、軸や中間軸受がないため、短冊状の搬送物である紙片や段ボール片のように絡みつきやすいものも容易に搬送することができる。無軸スクリュー２は、耐摩耗性のあるライナー６の上を滑っているので、無軸スクリュー２が撓むことはない。また、無軸スクリュー２は高度の耐摩耗性と耐久性を備えている。そして、無軸スクリュー２はライナー６に接して設置されているため隙間が発生せず、短冊状の搬送物が詰まることはない。
【００２０】
［無軸スクリューコンベアによる搬送状態］
実際の短冊状の搬送物である段ボール片の無軸スクリューコンベア１０による搬送状態を図４に示す。被搬送物である段ボール片３０は無軸スクリュー２によって搬送され、本考案の無軸スクリューコンベア１０は、このような短冊状の被搬送物を効率的に搬送することができる。従って、被搬送物の素材が紙である必要はなく、例えば薄い樹脂製の短冊状物であってもよい。
【００２１】
本考案の無軸スクリューコンベアによれば、騒音が少ない状態で、かつ衛生的、低コストで短冊状の被搬送物を搬送することができる。
【符号の説明】
【００２２】
１      減速機付電動機（駆動手段）
２      無軸スクリュー
３      駆動シャフト
４      減速機台
５      軸シール
６      ライナー
７      トラフ（保持手段）
８      固定具
９      支持脚
１０    無軸スクリューコンベア
１０ａ  第１の無軸スクリューコンベア
１０ｂ  第２の無軸スクリューコンベア
１１    軸有スクリュー
１１ａ  軸
１３    中間軸受
１４    カバー
１５    側板
２０    ガイド板
３０    段ボール片
Ｈ１    搬送空間
Ｈ２    搬送空間
【図１】
0003206289.tif 000003
【図２】
0003206289.tif 000004
【図３】
0003206289.tif 000005
【図４】
0003206289.tif 000006